(57)【要約】【課題】受光素子におけるレーザスポットの照射位置の調整を容易に行う。【解決手段】光ディスク３に光ビームを照射する発光素子３１と、光ディスク３から反射された光ビームを受光する受光素子３２と、光ディスク３の信号記録面に光ビームを収束させる対物レンズ４と、対物レンズ４を保持するとともに、光ディスク３のトラッキング方向およびフォーカシング方向に移動させる対物レンズ駆動装置５とを備え、対物レンズ４は、受光素子３２に光ビームが照射されるよう制御された位置に固定されている。【選択図】図８
2005322344.tif 000002
【特許請求の範囲】
【請求項１】
光ディスクに光ビームを照射する発光素子と、
上記光ディスクから反射された光ビームを受光する受光素子と、
上記光ディスクの信号記録面に光ビームを収束させる対物レンズと、
上記対物レンズを保持するとともに、上記光ディスクのトラッキング方向およびフォーカシング方向に移動させる対物レンズ駆動装置とを備え、
上記対物レンズは、上記受光素子に光ビームが照射されるよう制御された位置に固定されていることを特長とする光ピックアップ。
【請求項２】
上記発光素子及び受光素子は、一つの基板に搭載されたパッケージからなることを特徴とする請求項１記載の光ピックアップ。
【請求項３】
光ディスクに光ビームを照射し、反射光を受光素子で検出し、
反射光が上記受光素子の規定の位置に照射されるよう対物レンズを移動させ、当該移動後の位置を上記対物レンズの初期位置と設定することを特長とする光ピックアップの対物レンズ調整方法。
【請求項４】
上記受光素子は、発光素子と共に一つの基板に搭載されたパッケージからなることを特徴とする請求項３記載の光ピックアップの対物レンズ調整方法。
【発明の詳細な説明】
【技術分野】
【０００１】
本発明は、光ディスクに対して情報信号の記録や再生を行うための光ピックアップに関し、特に光ピックアップの光学系に関する。
【背景技術】
【０００２】
従来より、光学記録媒体の記録又は再生を行うための光ピックアップ装置においては、図１１に示すように、発光素子と受光素子とをハイブリッドに配置した構造の、いわゆるレーザカプラと呼ばれる光集積素子が多く生産されている。
【０００３】
レーザカプラ１００は、図１１及び図１２に示すように、表面領域に光検出部となるフォトダイオード１０１ａ，１０１ｂが設けられた１個のシリコンチップ１０２上に、発光素子であるレーザダイオード１０３とマイクロプリズム１０４が取り付けられたレーザカプラチップ１０５を、例えば、フラットパッケージ１０６内に収容して構成されている。
【０００４】
レーザダイオード１０３は、光ディスクドライブに挿入される各種光ディスクのフォーマットに応じて、一又は複数の波長帯域からなる光ビームを、記録時又は再生時に応じた強度で発光する。そして、レーザダイオード１０３の前面から出射した出射光は、マイクロプリズム１０４の傾斜端面１０４ａでほぼ直角に反射され、フラットパッケージ１０６上面の透明カバーガラス１１０や図示しないグレーティングを通して、図１２に示すように、対物レンズ１１２から光ディスク１１３の信号記録面に導かれる。一方、光ディスク１１３の信号記録面で反射した反射光は、光ディスク１１３及び対物レンズ１１２との間を同一経路で進んでフラットパッケージ１０６内へ入射され、マイクロプリズム１０４の傾斜端面１０４ａを透過した光ビームがマイクロプリズム１０４内を通ってフォトダイオード１０１ａ，１０１ｂにより検出される。
【０００５】
このようにレーザカプラ１００では、一つのパッケージ内に発光部であるレーザダイオード１０３や受光素子であるフォトダイオード１０１、及びサーボ信号、ＲＦ信号等を検出する光ビームの往復光路を制御するための光学素子が一体にマウントされるように構成されている。そのため、レーザカプラ１００を用いた光学系では、高低温、多湿等の光ピックアップが用いられる環境変化の影響によってフォトダイオード１０１に照射されるレーザスポットのずれが生じにくく、かつ従来の光学系に比べて部品点数も少なくすることができ、光ピックアップの小型化やコストダウンが可能となっている。そのため、携帯型の音響機器やパソコン、ゲーム機等の様々な用途に用いることができる。
【０００６】
【特許文献１】特開２０００−２７６７５５号公報
【発明の開示】
【発明が解決しようとする課題】
【０００７】
しかし、かかるレーザカプラ１００においては、光ディスク１１３からの戻りの光ビームがフォトダイオード１０１上に形作るレーザスポットの位置を適正化するために必要な光路調整のための自由度が少なくなる。したがって、レーザカプラ１００を構成する各部品の精度や組み立て精度、及びその他の光学系を構成する対物レンズ等の組み立て精度を、光学系の組み立て時に信号等を見ながら調整し、その後接着等を行う必要がある。
【０００８】
たとえば、レーザカプラ１００の組み立て精度では、マイクロプリズム１０４の傾き精度がフォトダイオード１０１上でのレーザスポットの位置ずれに大きく影響する。したがって、マクロプリズムが乗った上記レーザカプラチップ１０５をフラットパッケージ１０６に接着する際に、相当の傾き精度を確保する必要があるが現実的には厳しいため、図１３に示すように、最終的には光ピックアップの組み立て時にレーザカプラ１００全体をはじめに球面座１２０の上にマウントし、その後、調整用光ディスクからの反射光を検出しながら検出信号に応じて球面座１２０の傾きを調整することにより光ピックアップのシャーシに組み付ける方法が取られている。
【０００９】
しかし、かかる調整方法においては、レーザカプラ１００の組み付け精度を確保するために球面座１２０等の調整機構が必要となり、また調整工程も煩雑となる。さらに、球面座１２０を配置するためのスペースも必要となり、光ピックアップの小型化、低コスト化等にとって不利となる。
【００１０】
そこで、本発明は、受光素子におけるレーザスポットの照射位置の調整を容易に行うことができる光ピックアップ及び光ピックアップの対物レンズ調整方法を提供することを目的とする。
【課題を解決するための手段】
【００１１】
上述した課題を解決するために、本発明にかかる光ピックアップは、光ディスクに光ビームを照射する発光素子と、上記光ディスクから反射された光ビームを受光する受光素子と、上記光ディスクの信号記録面に光ビームを収束させる対物レンズと、上記対物レンズを保持するとともに、上記光ディスクのトラッキング方向およびフォーカシング方向に移動させる対物レンズ駆動装置とを備え、上記対物レンズは、上記受光素子に光ビームが照射されるよう制御された位置に固定されていることを特長とするものである。
【００１２】
また、本発明にかかる光ピックアップの対物レンズ調整方法は、光ディスクに光ビームを照射し、反射光を受光素子で検出し、反射光が上記受光素子の規定の位置に照射されるよう対物レンズを移動させ、当該移動後の位置を上記対物レンズの初期位置と設定することを特長とするものである。
【発明の効果】
【００１３】
このような光ピックアップ及び光ピックアップの対物レンズ調整方法によれば、光学ブロックの組み立て時に受光素子のレーザスポットの照射位置ずれが、対物レンズのトラッキング方向への移動によって予め補正されているため、受光素子の傾き補正を行う調整機構を設ける必要がない。したがって、光ピックアップの小型化、部品点数の削減を図ることができる。また光ピックアップの発光素子及び受光素子の傾き調整工程を省くことができ、光ピックアップの製造工程の簡略化を図ることができる。
【発明を実施するための最良の形態】
【００１４】
以下、本発明が適用された光ピックアップ及び光ピックアップの対物レンズ調整方法について図面を参照しながら詳細に説明する。本発明が適用された光ピックアップ１は、図１に示すように、半導体レーザ、光検出素子等から構成される光学ブロック２と、光ディスク３と対向する位置に配設され光ビームを光ディスクの信号記録面に収束させる対物レンズ４と、この対物レンズ４を駆動変位させる対物レンズ駆動装置５とを備え、これらがピックアップベース６に組み付けられて形成されている。そして、このような光ピックアップ１は、図示しないが記録及び／又は再生装置の装置本体を構成する筐体内に配設されるベースに設けられたピックアップ送り機構によって、ディスク回転駆動部に装着された光ディスク３の径方向に送り操作される。
【００１５】
対物レンズ４を駆動変位させる対物レンズ駆動装置５は、対物レンズ４を保持すると共に対物レンズ４を光ディスク３のフォーカシング方向及びトラッキング方向へ駆動させることにより、通常使用時においては、光ディスク３からの反射光を検出することによりフォーカシング制御及びトラッキング制御を行うものであり、また、光ピックアップ１の組み立て時においては、後述するレーザカプラ３０の組み付け精度に応じてレーザカプラ３０の光検出素子の適正な位置にレーザスポットが当たるように対物レンズ４の位置を調整し、初期位置として設定するものである。
【００１６】
この対物レンズ駆動装置５は、図２に示すように、軸摺動型の二軸アクチュエータであり、固定部となるベース１１と、上述した対物レンズ４を保持すると共に、ベース１１に対する可動部となるレンズホルダ１２とを備えている。
【００１７】
ベース１１は、磁性材料で形成されており、全体がヨークとしても機能する。このベース１１の略中央部には、底板１１ｂに対して略垂直となる支軸１３が圧入やカシメ等により取り付けられている。この支軸１３は、光ディスク３の信号記録面に対して光ビームを垂直に照射する対物レンズ４の光軸と平行となるように設けられている。ベース１１の両端部には、支軸１３を挟んで対向する一対のマグネット取付片１４ａ，１４ｂが設けられている。これら一対のマグネット取付片１４ａ，１４ｂには、互いに対向する面に、一対のマグネット１５ａ，１５ｂが取り付けられている。一対のマグネット１５ａ，１５ｂは、互いに向き合う面の磁極が同一となるように、すなわち互いのＮ極同士又はＳ極同士が向き合うように着磁されている。
【００１８】
支軸１３に取り付けられるレンズホルダ１２は、支軸１３との摺動が円滑となるように、液晶ポリマー等の剛性が高く摩擦抵抗の小さい合成樹脂材料によってモールド成形されている。レンズホルダ１２の略中央部には、支軸１３が摺動自在に挿通されるスリーブ部１６が設けられている。スリーブ部１６は、支軸１３に対して回動方向（図２中矢印Ａ方向）、すなわちトラッキング方向と支軸１３の軸線方向（図２中矢印Ｂ方向）、すなわちフォーカシング方向に摺動する部分であり、支軸１３の外径より内径が僅かに大きくなるように形成されている。また、スリーブ部１６が支軸１３の軸線方向に摺動できるように、長さが支軸１３の高さより短くなるように形成されている。
【００１９】
このスリーブ部１６の外周部には、図示しないフォーカシングコイルが取り付けられている。また、このフォーカシングコイルの外周部には、マグネット１５ａ，１５ｂに対向するように図示しない複数のトラッキングコイルが取り付けられている。
【００２０】
レンズホルダ１２は、このスリーブ部１６のスリーブ部１６に支軸１３が挿通されることによって、支軸１３の軸線方向、すなわち図２中矢印Ｂ方向に摺動可能に支持されると共に、支軸１３を中心とした回動方向、すなわち図２中矢印Ａ方向に摺動可能に支持される。また、このスリーブ部１６に支軸１３が挿通されることによって、一方のトラッキングコイルと一方のマグネット１５ａとが所定の間隔で対向配置されると共に、他方のトラッキングコイルと他方のマグネット１５ｂとが所定の間隔で対向配置される。
【００２１】
また、レンズホルダ１２には、図２に示すように、フォーカシングコイルやトラッキングコイルに給電するためのフレキシブル配線基板１９が取り付けられる。
【００２２】
レンズホルダ１２の一端側には、図２に示すように、対物レンズ４を取り付けるためのレンズ取付部２３が設けられている。このレンズ取付部２３には、先端部に対物レンズ４が嵌合されるホルダ孔２３ａが形成されており、このホルダ孔２３ａに、支軸１３の軸線と対物レンズ４の光軸とが平行となるように、対物レンズ４が保持される。
【００２３】
光ピックアップ１の光学ブロック２は、図１に示すように、光ディスク３に照射する光ビームの受発光部となるレーザカプラ３０と、このレーザカプラ３０から出射された光ビームを光ディスク３側へ立ち上げる立上げミラー３３と、立ち上げられた光ビームを平行光にするコリメータレンズ３４とを備える。
【００２４】
レーザカプラ３０は、少なくとも光ビームを出射する半導体レーザ３１と、半導体レーザ３１から出射された光ビームと光ディスク３の信号記録面で反射された戻りの光ビームを検出する光検出素子３２とをハイブリッドに配置した構造の光集積素子である。レーザカプラ３０は、図３及び図４に示すように、表面領域に光検出用のフォトディテクタ等の光検出素子３２ａ，３２ｂが設けられた１個のシリコンチップ３５上に、発光源である半導体レーザ３１とマイクロプリズム３６が取り付けられたレーザカプラチップ３７を、例えば、フラットパッケージ３８の収納凹部３８ａ内に収容して構成されている。
【００２５】
レーザカプラチップ３７のシリコンチップ３５は、略矩形状に形成され、シリコンウェハ上に拡散等によってフォトディテクタ等の一対の光検出素子３２ａ，３２ｂが作り込まれ、シリコンウェハを略矩形状にダイシングされることにより形成される。シリコンチップ３５に形成される光検出素子３２ａ，３２ｂは、図５に示すように、それぞれ２分割された検出領域を有し、前側の光検出素子３２ａの検出領域Ａ，Ｂと、後側の光検出素子３２ｂの検出領域ａ，ｂに照射される光量を検出する。そして、（Ａ＋ｂ）−（ａ＋Ｂ）よりトラッキングエラー信号ＴＥを検出し、ＴＥ＝０となるように上記対物レンズ駆動装置５によってトラッキングサーボ制御を行う。
【００２６】
また、シリコンチップ３５には、長手方向の一端３５ａ側に半導体レーザ３１からの出射光をほぼ垂直に反射すると共に光ディスク３からの反射光を光検出素子３２側へ透過させるマイクロプリズム６が設けられている。またシリコンチップ３５の他端３５ｂ側には、マイクロプリズム３６と正対された半導体レーザ３１が搭載されたフォトダイオードチップ３９が設けられている。このフォトダイオードチップ３９には、半導体レーザ３１の出力を制御する目的で、半導体レーザ３１の後面から出射される光ビームをモニターするＰＩＮフォトダイオードが形成されている。
【００２７】
なお、シリコンチップ３５は、フォトダイオードチップ３９の近傍に、レーザカプラチップ３７を収納するフラットパッケージ３８の基板と接続するボンディングワイヤ用の図示しないワイヤパッドが設けられている。
【００２８】
レーザカプラチップ３７を収納したフラットパッケージ３８は、透明ガラス４０等でシールされ、適宜、光ビームを０次光と±１次光に分割するグレーティング４１が搭載される（図１参照）。
【００２９】
このようなレーザカプラ３０の半導体レーザ３１から出射された出射光は、図６に示すように、マイクロプリズム３６の傾斜端面３６ａによって立ち上げられた後、グレーティングによって０次光と±１次光に分割されて立上げミラー３３へ照射される。次いで、出射光は、立上げミラー３３で光ディスク３側へ立ち上げられ、コリメータレンズ３４で平行光とされた後、対物レンズ４へ入射する。そして、出射光は、対物レンズ４によって光ディスク３の信号記録面に収束されて照射される。
【００３０】
また、光ディスク３の信号記録面で反射された戻りの反射光は、対物レンズ４、コリメータレンズ３４、立上げミラー３３を経てレーザカプラ３０内に入射される。そして、反射光はレーザカプラ３０内に設けられたマイクロプリズム３６を透過し、一対の光検出素子３２ａ，３２ｂに検出される。このとき、レーザカプラ３０より出射された光ビームが光ディスク３の信号記録面に垂直に入射し、信号記録面のトラック中心に照射されている場合には、図５に示すように、前側の光検出素子３２ａの検出領域Ａ，Ｂ及び後側の光検出素子３２ｂの検出領域ａ，ｂに均等にレーザスポットが照射し、トラッキングエラー信号ＴＥ＝０となる。
【００３１】
ここで、レーザカプラ３０は、マイクロプリズム３６のフラットパッケージ３８に対する傾き精度が許容誤差を超えていると、光ビームが直角に光ディスク３に入射され、トラック中心に照射されている場合にも、トラッキングエラー信号が正確に検出されなくなる。すなわち、レーザカプラ３０のマイクロプリズム３６の傾きや、レーザカプラチップ３７のフラットパッケージ３８内での傾き精度が確保されていないと、図７に示すように、オントラック時にも一対の光検出素子３２ａ，３２ｂの各検出領域に均等にレーザスポットが照射されず、トラッキングエラー信号ＴＥ＝０とはならない。
【００３２】
このように、レーザカプラ３０を用いた光ピックアップ１におけるレーザスポットの位置ずれは、主としてレーザカプラチップ３７とフラットパッケージ３８の傾きずれによって引き起こされるが、これは言い換えると、復路系光路上に配置された光検出素子３２ａ，３２ｂの位置の復路系光路光軸からのずれと等価である。図６の光路系の概略図に示すように、往路光学系において、半導体レーザ３１の発光点の共役点Ｃ１が光ディスク３上での集光スポットＳとなり、逆に復路光学系においては、その光ディスク３上での集光スポットＳの共役点Ｃ２が一対の光検出素子３２ａ，３２ｂ間の点となるようレーザカプラチップ３７上での半導体レーザ３１と光検出素子３２の位置関係が決まっている。このとき、レーザカプラチップ３７に傾きずれが起こっていた場合、図７に示すように、一対の光検出素子３２ａ，３２ｂは、復路光学系の光軸に対し、それぞれ左右にずれた配置となる。したがって、光検出素子３２側から見ると光検出素子３２上でのレーザスポットの照射位置がずれたことになる。
【００３３】
本発明が適用された光ピックアップ１においては、かかるレーザスポットの照射位置ずれを補正するために、光ピックアップ１の組み立て時に、復路光学系の光軸と一対の光検出素子３２ａ，３２ｂとが一致するように対物レンズ駆動装置５を調整したものである。
【００３４】
実際には、光ピックアップ１のスキュー調整と同時に行い、光ピックアップ１の組み立て時に調整用の光ディスク３に対して光ビームを直角に照射し、その反射光を光検出素子３２で受光することによりプッシュプル信号を検出する。そして、図８に示すように、プッシュプル信号のオフセットが０となるように、対物レンズ駆動装置５のフォーカシングコイルへの駆動電流を制御しラジアル方向及びタンジェンシャル方向へ対物レンズ４を調整すると共に、トラッキングコイルへの駆動電流を制御しＸＹ方向（トラッキング方向）へ対物レンズ４を移動させる。このとき、図９に示すように、スキュー調整によって光ビームがトラック中心に照射されているにもかかわらず、トラッキングエラー信号ＴＥが０にならない場合には、ＴＥ＝０となるように、すなわち、光ディスク３の集光スポットＳの共役点Ｃ２が一対の光検出素子３２ａ，３２ｂの間の点となり、復路光学系の光軸が一対の光検出素子３２ａ，３２ｂと一致するように対物レンズ４をトラッキング方向に移動させる。
【００３５】
なお、かかる光検出素子３２のレーザスポット位置補正に要する対物レンズ４の移動量は、レーザカプラ３０の組み立て精度や組み付け精度、立上げミラー３３の傾き精度等の光ピックアップ１の組み立て精度がある程度（例えば±１０分以内）確保されていることから、所定の範囲内に絞り込まれており、例えば±０．１とされる。
【００３６】
そして、光ピックアップ１は、トラッキングエラー信号ＴＥ＝０となったときの対物レンズの移動後の位置が初期位置とされ、光ディスク３のトラッキング制御の際には常に当該初期位置を基準にサーボ制御が行われる。
【００３７】
以上のような光ピックアップ１によれば、光検出素子３２上でのレーザスポット位置のずれを補正するためにレーザカプラ３０の角度を調整するものではなく、対物レンズ駆動装置５によって対物レンズ４をトラッキング方向に移動させることにより行うものであるため、レーザカプラ３０の組み付け精度を確保するための調整機構を必要とせず、またレーザカプラ３０の組み付け調整工程が不要となる。さらに、球面座等の調整機構を配置するスペースを確保する必要がなく、光ピックアップの小型化、部品点数の削減を実現することができる。
【００３８】
ところで、以上のように対物レンズ４の調整が行われた光ピックアップ１は、図１０に示すように、光検出素子３２で光電変換された電気信号が供給されるＲＦアンプ５１と、フォーカシング信号やトラッキング信号を生成するサーボ回路５２と、検出されたトラッキングエラー信号に光ピックアップ１の組み立て時に検出した対物レンズ４の移動量の情報を加えて、組み立て時に設定した初期位置を基準にトラッキング制御を行わせる信号補正回路５３とを備える。ＲＦアンプ５１は、光検出素子３２からの電気信号に基づいて、ＲＦ信号を生成すると共に、非点収差法等によりフォーカシングエラー信号を生成し、更に、３ビーム法やプッシュプル法によりトラッキングエラー信号を生成する。そして、ＲＦアンプ５１は、ＲＦアンプを信号処理回路に供給し、フォーカシングエラー信号とトラッキングエラー信号をサーボ回路５２に供給する。サーボ回路５２は、フォーカシングエラー信号に基づき、このフォーカシングエラー信号が０となるように、フォーカシングサーボ信号を生成する。そして、サーボ回路５２は、フォーカシングサーボ信号に応じた電流を対物レンズ駆動装置５のフォーカシングコイルに供給する。また、サーボ回路５２は、トラッキングエラー信号に基づき、このトラッキングエラー信号が０となるように、トラッキングサーボ信号を生成する。そして、サーボ回路５２は、トラッキングサーボ信号に応じた電流を対物レンズ駆動装置５のトラッキングコイルに供給する。
【００３９】
このとき、上述したように光ピックアップ１は、組み立て時に光検出素子３２の適正な位置にレーザスポットが照射されるように対物レンズ４が移動されているため、信号補正回路５３によって、この移動後の位置を初期位置として設定されている。そして信号補正回路５３は、トラッキングサーボ信号として対物レンズ４の初期位置への移動信号を送っている。したがって、トラッキングエラー信号は、この初期位置を０として検出され、トラッキングサーボ信号は、トラッキングエラー信号が初期位置の０となるよう対物レンズ駆動装置５を制御する。
【００４０】
光ピックアップ１は、情報信号の記録や再生のため、記録及び／又は再生装置のディスク回転駆動部によって光ディスク３が回転されると、光ディスク３の径方向に送り操作される。光ピックアップ１は、半導体レーザ３１より光ビームを出射する。すると、この出射光は、レーザカプラ３０に設けられたグレーティング４１で０次光と±１次光に分離され、立上げミラー３３及びコリメータレンズ３４を介して対物レンズ４に入射され、光ディスク３の信号記録面に収束されて照射される。そして、光ディスク３の信号記録面で反射された戻りの反射光は、出射光と同一経路を経てレーザカプラ３０に入射し、マイクロプリズム３６の反射面３６ａで半導体レーザ３１から出射された出射光と分離され、マイクロプリズム３６を透過して光検出素子３２に照射される。そして、光検出素子３２は、この反射光を光電変換し、電気信号をＲＦアンプ５１に供給する。
【００４１】
ＲＦアンプ５１は、この電気信号に基づいてＲＦ信号とフォーカシングエラー信号とトラッキングエラー信号とを生成し、ＲＦ信号を信号処理回路に供給し、フォーカシングエラー信号とトラッキングエラー信号をサーボ回路５２に供給する。サーボ回路５２は、フォーカシングエラー信号に基づいてフォーカシングサーボ信号を生成し、フォーカシングサーボ信号に応じた電流を対物レンズ駆動装置５のフォーカシングコイルに供給すると共に、トラッキングエラー信号に基づいてトラッキングサーボ信号を生成し、トラッキングサーボ信号に応じた電流をトラッキングコイルに供給する。
【００４２】
フォーカシングコイルに対して電流が供給されると、一対のマグネットに発生する磁界との作用によって駆動力が発生し、対物レンズ駆動装置５の支軸１３の軸線方向に沿って、すなわちフォーカシング方向である図２中矢印Ｂ方向にレンズホルダ１２に取り付けられた対物レンズ４を変位させることができる。また、トラッキングコイルに対して電流が供給されると、一対のマグネットに発生する磁界との作用によって駆動力が発生し、支軸１３の回動方向に、すなわちトラッキング方向である図２中矢印Ａ方向にレンズホルダ１２に取り付けられた対物レンズ４を変位させることができる。
【００４３】
以上のように、本発明が適用された光ピックアップ１によれば、光学ブロック２の組み立て時にレーザカプラ３０の傾きによる光検出素子３２ａ，３２ｂのレーザスポットの照射位置ずれが、対物レンズ４のトラッキング方向への移動によって予め補正されているため、レーザカプラ３０の傾き補正を行う球面座等の調整機構を設ける必要がない。したがって、光ピックアップ１は、小型化、部品点数の削減を図ることができる。
【００４４】
また、レーザカプラ３０は、一つのパッケージ内に発光部である半導体レーザ３１やフォトダイオード等の光検出素子３２等が一体にマウントされるように構成されている。そのため、レーザカプラ３０を用いた光ピックアップ１では、高低温、多湿等の環境変化の影響によって光検出素子３２に照射されるレーザスポットのずれが生じにくく、かつ従来の光学系に比べて部品点数も少なくすることができ、光ピックアップ１の小型化やコストダウンが可能となっている。そのため、携帯型の音響機器やパソコン、ゲーム機等の様々な用途に用いることができる。
【図面の簡単な説明】
【００４５】
【図１】本発明が適用された光ピックアップの光学系を示す断面図である。
【図２】対物レンズ駆動装置を示す斜視図である。
【図３】レーザカプラチップを示す斜視図である。
【図４】レーザカプラを示す斜視図である。
【図５】受光素子の適正な位置にレーザスポットが照射されたレーザカプラ及び対物レンズを示す図である。
【図６】光ピックアップの光路系を示す側面図である。
【図７】受光素子にレーザスポットがずれて照射されたレーザカプラ及び対物レンズを示す図である。
【図８】対物レンズの調整工程を示す図である。
【図９】対物レンズを調整することにより受光素子の適正な位置にレーザスポットが照射されたレーザカプラ及び対物レンズを示す図である。
【図１０】本発明が適用された光ピックアップの一部を示す回路図である。
【図１１】従来のレーザカプラチップを示す斜視図である。
【図１２】従来のレーザカプラを示す断面図である。
【図１３】従来のレーザカプラの取り付け調整の工程を説明するための図である。
【符号の説明】
【００４６】
１  光ピックアップ、２  光学ブロック、３  光ディスク、４  対物レンズ、５  対物レンズ駆動装置、６  ピックアップベース、１２  レンズホルダ、１３  支軸、２３  レンズ取付部、３０  レーザカプラ、３１  半導体レーザ、３２ａ，３２ｂ  光検出素子、３３  立上げミラー、３４  コリメータレンズ
【図１】
2005322344.tif 000003
【図２】
2005322344.tif 000004
【図３】
2005322344.tif 000005
【図４】
2005322344.tif 000006
【図５】
2005322344.tif 000007
【図６】
2005322344.tif 000008
【図７】
2005322344.tif 000009
【図８】
2005322344.tif 000010
【図９】
2005322344.tif 000011
【図１０】
2005322344.tif 000012
【図１１】
2005322344.tif 000013
【図１２】
2005322344.tif 000014
【図１３】
2005322344.tif 000015